(57)【要約】【課題】ＩＣカードのユーザーへの配送段階で盗難や複製などに起因する不正利用を防ぐ。【解決手段】接触式ＩＣカード読み書き端末と管理サーバとを備え、  接触式ＩＣカード読み書き端末は、この端末と電気的に接触している非活性状態の接触式ＩＣカードの活性要求を、アクセスコードと共に管理サーバに送信する手段を有し、  管理サーバは、活性要求をアクセスコードと共に受信する手段と、アクセスコードを認証する手段と、アクセスコードの認証に成功した場合、接触式ＩＣカード読み書き端末と電気的に接触している非活性状態の接触式ＩＣカードを活性状態に活性化する手段とを有していることを特徴とする接触式ＩＣカード活性化システム。【選択図】図１
2015203909.tif 000002
【特許請求の範囲】
【請求項１】
接触式ＩＣカード読み書き端末と管理サーバとを備え、
接触式ＩＣカード読み書き端末は、この端末と電気的に接触している非活性状態の接触式ＩＣカードの活性要求を、アクセスコードと共に管理サーバに送信する手段を有し、
管理サーバは、活性要求をアクセスコードと共に受信する手段と、アクセスコードを認証する手段と、アクセスコードの認証に成功した場合、接触式ＩＣカード読み書き端末と電気的に接触している非活性状態の接触式ＩＣカードを活性状態に活性化する手段とを有していることを特徴とする接触式ＩＣカード活性化システム。
【請求項２】
接触式ＩＣカード読み書き端末と管理サーバが行う方法であって、
接触式ＩＣカード読み書き端末が、この端末と電気的に接触している非活性状態の接触式ＩＣカードの活性要求を、アクセスコードと共に管理サーバに送信する工程と、
管理サーバが、活性要求をアクセスコードと共に受信する工程と、
管理サーバが、アクセスコードを認証する工程と、
管理サーバが、アクセスコードの認証に成功した場合、接触式ＩＣカード読み書き端末と電気的に接触している非活性状態の接触式ＩＣカードを活性状態に活性化する工程とを含むことを特徴とする接触式ＩＣカード活性化方法。
【発明の詳細な説明】
【技術分野】
【０００１】
本発明は、接触式ＩＣカード活性化システム及び方法に関する。
【背景技術】
【０００２】
従来、ＩＣカードはカード会社で使用するのに必要なデータを書き込む発行処理（例えば特許文献１参照）を行い、発行されたＩＣカードをユーザーに送付することで、ユーザーが使用できる状態としていた。
【０００３】
しかし、ユーザーへ配送される間には既に使用できる状態となっているため、ＩＣカードが盗まれたり、不正に複製される、などの危険性がある。
【先行技術文献】
【特許文献】
【０００４】
【特許文献１】特開昭６３−１５９９９１号公報
【発明の概要】
【発明が解決しようとする課題】
【０００５】
本発明は、このような事情を考慮してなされたもので、ＩＣカードのユーザーへの配送段階で盗難や複製などに起因する不正利用を防ぐことを課題とする。
【課題を解決するための手段】
【０００６】
本発明において上記課題を解決するために、まず請求項１の発明では、
接触式ＩＣカード読み書き端末と管理サーバとを備え、
接触式ＩＣカード読み書き端末は、この端末と電気的に接触している非活性状態の接触式ＩＣカードの活性要求を、アクセスコードと共に管理サーバに送信する手段を有し、
管理サーバは、活性要求をアクセスコードと共に受信する手段と、アクセスコードを認証する手段と、アクセスコードの認証に成功した場合、接触式ＩＣカード読み書き端末と電気的に接触している非活性状態の接触式ＩＣカードを活性状態に活性化する手段とを有していることを特徴とする接触式ＩＣカード活性化システムとしたものである。
【０００７】
また請求項２の発明では、
接触式ＩＣカード読み書き端末と管理サーバが行う方法であって、
接触式ＩＣカード読み書き端末が、この端末と電気的に接触している非活性状態の接触式ＩＣカードの活性要求を、アクセスコードと共に管理サーバに送信する工程と、
管理サーバが、活性要求をアクセスコードと共に受信する工程と、
管理サーバが、アクセスコードを認証する工程と、
管理サーバが、アクセスコードの認証に成功した場合、接触式ＩＣカード読み書き端末と電気的に接触している非活性状態の接触式ＩＣカードを活性状態に活性化する工程とを含むことを特徴とする接触式ＩＣカード活性化方法としたものである。
【発明の効果】
【０００８】
本発明では、アクセスコードが知られない限り、非活性状態の接触式ＩＣカードを活性状態に活性化して使える状態にできない。
【０００９】
従って、本発明は、ＩＣカードのユーザーへの配送段階で盗難や複製などに起因する不正利用を防ぐことができるという効果がある。
【図面の簡単な説明】
【００１０】
【図１】本発明の接触式ＩＣカード活性化システムのハードウエア構成と非接触ＩＣカードが活性化される様子とを説明するブロック図。
【図２】管理サーバのハードウエア構成を説明するブロック図。
【図３】活性化表を示す図。
【図４】接触式ＩＣカード読み書き端末のハードウエア構成を説明するブロック図。
【図５】接触式ＩＣカード活性化処理の流れの例を示すフローチャート。
【発明を実施するための形態】
【００１１】
以下に、本発明の一実施形態を説明する。
【００１２】
１．接触式ＩＣカード活性化システム
本発明の接触式ＩＣカード活性化システムは、図１に示すように、ユーザーの自宅に置かれている接触式ＩＣカード読み書き端末と、ネットワークを介して接触式ＩＣカード読み書き端末から接続される管理サーバとを備え、接触式ＩＣカードを非活性状態から活性状態に活性化するものである。
【００１３】
２．接触式ＩＣカード
接触式ＩＣカードは、ＣＰＵとメモリとを有するＩＣチップを内蔵し、ＩＣチップに電気的に接続されている端子が表面に設けられているものである。この端子は、非接触式ＩＣカードリーダライタと電気的接触を得るためのものであり、後述する接触式ＩＣカード読み書き端末の接触通信部との電気的接触を得るためのものでもある。
【００１４】
接触式ＩＣカードは、カード会社から、使用するのに必要な全てのデータがメモリに書き込まれているが、未活性状態で、ユーザーに送付される。このカード会社からユーザーに送付される接触式ＩＣカードは、未活性状態であるために、使用するのに必要な全てのデータがメモリに書き込まれていても、使用できない状態にある。使用できる状態にするためには、未活性状態を活性状態にする必要がある。
【００１５】
接触式ＩＣカードのメモリに書き込まれているデータには、例えば、ＩＣカード情報等がある。ＩＣカード情報は、ＩＣカードに係り、ＩＣカードを特定する情報であって、例えば、ＩＣカードを唯一に識別するＩＣカードＮｏ．等がある。
【００１６】
また、接触式ＩＣカードのメモリには、各種コマンドをＣＰＵに実行させるプログラムも書き込まれている。
【００１７】
３．管理サーバ
管理サーバは、図２に示すように、制御部、一時記憶部、記憶部、通信部、入力部、表示部等を有するコンピュータである。
【００１８】
制御部は、管理サーバが有する各部を制御し、記憶部からプログラムを一時記憶部にロードして実行する装置であって、例えばＣＰＵである。
【００１９】
一時記憶部は、一時的にデータやプログラムを記憶する装置であって、例えばＲＡＭで
ある。上述のように、制御部が実行するプログラムは、一時記憶部に、一時的に記憶される。
【００２０】
記憶部は、データやプログラムを永続的に記憶する装置である。
【００２１】
通信部は、ネットワークを介して、接触式ＩＣカード読み書き端末とデータ通信を行う装置である。
【００２２】
入力部は、データを入力する装置である。
【００２３】
表示部は、データを表示する装置である。
【００２４】
記憶部には、図３に示すような活性化表が記憶されている。
【００２５】
活性化表には、図３に示すように、項目「ＩＣカードＮｏ．」、項目「アクセスコード」、項目「活性」がある。
【００２６】
項目「ＩＣカードＮｏ．」の値は、個々の接触式ＩＣカードのメモリに記憶され、個々の接触式ＩＣカードを唯一に識別する番号である。
【００２７】
項目「アクセスコード」の値は、カード会社からユーザーに送られた接触式ＩＣカードを活性化するために、カード会社から送られるアクセスコードである。
【００２８】
項目「活性」の値は、０又は１の２値で、０は非活性状態を表し、１は活性状態を表わす。
【００２９】
活性化表の同一の行を構成する、項目「ＩＣカードＮｏ．」、項目「アクセスコード」、項目「活性」、それぞれの値の組は、項目「ＩＣカードＮｏ．」の値で識別される接触式ＩＣカードが、項目「アクセスコード」の値で活性化が可能で、項目「活性」の値で表わされる状態にあることを意味する。
【００３０】
また、記憶部には、接触式ＩＣカード読み書き端末を唯一に識別する端末ＩＤが記憶されている。この端末ＩＤは、この端末ＩＤで唯一に識別される接触式ＩＣカード読み書き端末を正規なものであると認証するためのものである。
【００３１】
また、記憶部には、認証鍵が記憶されていても良い。この認証鍵は、管理サーバと接触式ＩＣカード読み書き端末とが相互認証を行うための暗号鍵である。
【００３２】
また、記憶部には、接触式ＩＣカードのＣＰＵに、この接触式ＩＣカードを非活性状態から活性状態に活性化させる活性化コマンドが記憶されている。
【００３３】
さらに、記憶部には、後述する接触式ＩＣカード活性化処理のうち、管理サーバの担う部分を、管理サーバの制御部に行わせる管理サーバ用接触式ＩＣカード活性化プログラムが記憶されている。
【００３４】
４．接触式ＩＣカード読み書き端末
接触式ＩＣカード読み書き端末は、図４に示すように、制御部、一時記憶部、記憶部、通信部、入力部、表示部、接触通信部等を有する。
【００３５】
接触式ＩＣカード読み書き端末には、例えば、地上波デジタルテレビ、地上波デジタル
テレビ用ビデオのＢＣＡＳカードリーダーや、接触式ＩＣカードリーダーが接続されたパソコン等が挙げられる。
【００３６】
制御部は、接触式ＩＣカード読み書き端末が有する各部を制御し、記憶部からプログラムを一時記憶部にロードして実行する装置であって、例えばＣＰＵである。
【００３７】
一時記憶部は、一時的にデータやプログラムを記憶する装置であって、例えばＲＡＭである。上述のように、制御部が実行するプログラムは、一時記憶部に、一時的に記憶される。
【００３８】
記憶部は、データやプログラムを永続的に記憶する装置である。
【００３９】
通信部は、ネットワークを介して、管理サーバとデータ通信を行う装置である。
【００４０】
入力部は、データを入力する装置であって、例えば、タッチパネル、キーボード等である。
【００４１】
表示部は、データを表示する装置であって、例えば、ディスプレイである。
【００４２】
接触通信部は、接触式ＩＣカードの端子に電気的に接触した状態で、接触式ＩＣカードへのデータの書き込み、接触式ＩＣカードからのデータの読み出し等の接触式ＩＣカードとのデータ通信を行う装置である。
【００４３】
記憶部には、端末ＩＤ、認証鍵等が記憶されている。
【００４４】
端末ＩＤは、接触式ＩＣカード読み書き端末を唯一に識別するＩＤである。
【００４５】
認証鍵は、接触式ＩＣカードとの相互認証、管理サーバとの相互認証に用いる暗号鍵である。
【００４６】
さらに、記憶部には、後述する接触式ＩＣカード活性化処理のうち、接触式ＩＣカード読み書き端末が担う部分を、接触式ＩＣカード読み書き端末の制御部に行わせる接触式ＩＣカード読み書き端末用接触式ＩＣカード活性化プログラムが記憶されている。
【００４７】
５．接触式ＩＣカード活性化処理
以下に、接触式ＩＣカード活性化処理の流れの例を、図５のフローチャートに従って説明する。
【００４８】
Ｓ（ＳＴＥＰ）１；
管理サーバの制御部は、入力部から接触式ＩＣカード読み書き端末の端末ＩＤの登録が行われると、この端末ＩＤを記憶部に記憶する。
【００４９】
Ｓ（ＳＴＥＰ）２；
非活性状態の接触式ＩＣカードが接触式ＩＣカード読み書き端末にセットされると、接触式ＩＣカードの端子が、接触式ＩＣカード読み書き端末の接触通信部に、電気的に接触される。
【００５０】
この際に、接触式ＩＣカードの端子と、接触式ＩＣカード読み書き端末とは、認証鍵を用いて相互認証行い、相互認証に成功した場合に、ＳＴＥＰ３に進んでも良い。
【００５１】
また、このセットは、例えば、接触式ＩＣカード読み書き端末の挿入口に、接触式ＩＣカードが挿入されることであっても良い。
【００５２】
Ｓ（ＳＴＥＰ）３；
接触式ＩＣカード読み書き端末の制御部は、入力部からアクセスコードが入力されると、このアクセスコードを一時記憶部に記憶する。
【００５３】
Ｓ（ＳＴＥＰ）４；
接触式ＩＣカード読み書き端末の制御部は、記憶部に記憶している端末ＩＤを、通信部を介して、管理サーバに送信する。
【００５４】
Ｓ（ＳＴＥＰ）５；
管理サーバの制御部は、通信部を介して、接触式ＩＣカード読み書き端末から端末ＩＤを受信して一時記憶部に記憶する
【００５５】
Ｓ（ＳＴＥＰ）６；
管理サーバの制御部は、記憶部に記憶している端末ＩＤの中で、接触式ＩＣカード読み書き端末から受信して一時記憶部に記憶している端末ＩＤと一致するものがあるか否かで、この接触式ＩＣカード読み書き端末が正規のものであるか否かを認証し、
正規の接触式ＩＣカード読み書き端末であるとして認証に成功した場合、ＳＴＥＰ７に進み、
正規の接触式ＩＣカード読み書き端末でないとして認証に失敗した場合、ＥＮＤに進む。
【００５６】
尚、ＳＴＥＰ７に進む前に、さらに、認証鍵を用いて、接触式ＩＣカード読み書き端末と、管理サーバとの間で相互認証を行い、相互認証に成功した場合に、ＳＴＥＰ７に進んでも良い。
【００５７】
Ｓ（ＳＴＥＰ）７；
接触式ＩＣカード読み書き端末の制御部は、通信部を介して、活性化要求を、入力部から入力されて一時記憶部に記憶しているアクセスコードと共に、管理サーバに送信する。
【００５８】
Ｓ（ＳＴＥＰ）８；
管理サーバの制御部は、通信部を介して、接触式ＩＣカード読み書き端末から活性化要求をアクセスコードと共に受信して一時記憶部に記憶する。
【００５９】
Ｓ（ＳＴＥＰ）９；
管理サーバの制御部は、記憶部に記憶している活性化表の項目「アクセスコード」の値の中で、接触式ＩＣカード読み書き端末から受信して一時記憶部に記憶しているアクセスコードと一致するものがあるか否かで、このアクセスコードが正当なものであるか否かを認証し、
正当なアクセスコードであるとして認証に成功した場合、ＳＴＥＰ１０に進み、
正当なアクセスコードでないとして認証に失敗した場合、ＥＮＤに進む。
【００６０】
Ｓ（ＳＴＥＰ）１０；
管理サーバの制御部は、通信部を介して、記憶部に記憶している活性化コマンドを、接触式ＩＣカード読み書き端末に送信する。
【００６１】
Ｓ（ＳＴＥＰ）１１；
接触式ＩＣカード読み書き端末の制御部は、通信部を介して、管理サーバから活性化コ
マンドを受信して一時記憶部に記憶する。
【００６２】
Ｓ（ＳＴＥＰ）１２；
接触式ＩＣカード読み書き端末の制御部は、接触通信部を介して、管理サーバから一時記憶部に記憶している活性化コマンドを、接触式ＩＣカードに送信する。
【００６３】
Ｓ（ＳＴＥＰ）１３；
接触式ＩＣカードのＣＰＵは、接触式ＩＣカード読み書き端末から活性化コマンドを受信し、この活性化コマンドに従って、この接触式ＩＣカードを非活性状態から活性状態に活性化する。
【００６４】
Ｓ（ＳＴＥＰ）１４；
接触式ＩＣカードのＣＰＵは、メモリからＩＣカードＮｏ．を読み出し、このＩＣカードＮｏ．で識別される接触式ＩＣカードを活性状態から活性状態に活性化したとの活性化完了報告を、接触式ＩＣカード読み書き端末に送信する。
【００６５】
Ｓ（ＳＴＥＰ）１５；
接触式ＩＣカード読み書き端末の制御部は、接触通信部を介して、接触式ＩＣカードから、活性化完了報告を受信して一時記憶部に記憶する。
【００６６】
Ｓ（ＳＴＥＰ）１６；
接触式ＩＣカード読み書き端末の制御部は、通信部を介して、接触式ＩＣカードから受信して一時記憶部に記憶している活性化完了報告を、管理サーバに送信する。
【００６７】
Ｓ（ＳＴＥＰ）１７；
管理サーバの制御部は、通信部を介して、接触式ＩＣカード読み書き端末から活性化完了報告を受信して一時記憶部に記憶する。
【００６８】
Ｓ（ＳＴＥＰ）１８；
管理サーバの制御部は、活性化表において、接触式ＩＣカード読み書き端末から受信して一時記憶部に記憶している活性化完了報告に記載されているＩＣカードＮｏ．を、項目「ＩＣカードＮｏ．」の値とする行の項目「活性」の値を、非活性状態を表わす０から活性状態を表わす１に更新する。
【図１】
2015203909.tif 000003
【図２】
2015203909.tif 000004
【図３】
2015203909.tif 000005
【図４】
2015203909.tif 000006
【図５】
2015203909.tif 000007